(57)【要約】【課題】タイト材が離れる方向の熱反りを抑制して、戸と枠との間に隙間が生じるのを防止できる建具を提供する。【解決手段】本発明の建具１は、枠３と、戸５と、タイト材５５を備え、枠３は、戸先側に戸５の見付け面５ａに対向する戸先側見付け面部４７を有し、タイト材５５は、枠３の戸先側見付け面部４７と、戸５との間に設けてあり、戸５は、表パネル７と、裏パネル９と、これらのパネル７、９間に配置した戸先力骨１１を有し、戸先力骨１１のタイト材５５側見付け面１１ａには、戸先力骨１１の長手方向中間に、左右方向のスリット２１を上下に間隔をあけて複数設けてある。【選択図】図１
2015094208.tif 000002
【特許請求の範囲】
【請求項１】
枠と、戸と、タイト材を備え、枠は、戸先側に戸の見付け面に対向する戸先側見付け面部を有し、タイト材は、枠の戸先側見付け面部と戸との間に設けてあり、戸は、表パネルと、裏パネルと、これらのパネル間に配置した戸先力骨を有し、戸先力骨のタイト材側見付け面には、戸先力骨の長手方向中間に、左右方向のスリットを上下に間隔をあけて複数設けてあることを特徴とする建具。
【発明の詳細な説明】
【技術分野】
【０００１】
本発明は、ドア等の建具に関する。
【背景技術】
【０００２】
特許文献１には、表パネルと裏パネルとの間の四周に力骨を設けた戸と、戸に対向する枠の見付け面との間にタイト材を設けた建具が開示されている。
【先行技術文献】
【特許文献】
【０００３】
【特許文献１】実公昭６０−２３４３２号公報
【発明の概要】
【発明が解決しようとする課題】
【０００４】
しかし、特許文献１の建具では、火災時に戸が熱反りしてタイト材から離れ、枠との間に隙間が生じ、その隙間から火炎が噴出して延焼するおそれがあった。
【０００５】
そこで、本発明は、タイト材が離れる方向の熱反りを抑制して、戸と枠との間に隙間が生じるのを防止できる建具の提供を目的とする。
【課題を解決するための手段】
【０００６】
請求項１に記載の発明は、枠と、戸と、タイト材を備え、枠は、戸先側に戸の見付け面に対向する戸先側見付け面部を有し、タイト材は、枠の戸先側見付け面部と戸との間に設けてあり、戸は、表パネルと、裏パネルと、これらのパネル間に配置した戸先力骨を有し、戸先力骨のタイト材側見付け面には、戸先力骨の長手方向中間に、左右方向のスリットを上下に間隔をあけて複数設けてあることを特徴とする建具である。
【発明の効果】
【０００７】
請求項１に記載の発明によれば、戸先力骨にはタイト材側の見付け面に左右方向のスリットが上下に複数形成してあるので、戸先力骨に熱伸びが生じたときに、タイト材側見付け面の熱伸びをスリットが吸収して、タイト材から離れる方向の熱反りを抑制する。これにより、戸と枠との間に隙間が生じるのを防止する。
【図面の簡単な説明】
【０００８】
【図１】本発明の実施の形態にかかる建具であって、図４に示すＡ−Ａ断面図である。
【図２】図１に示す戸先力骨の下側部分を抜き出して示す斜視図である。
【図３】本発明の実施の形態にかかる建具であって、図４に示すＢ−Ｂ断面図である。
【図４】本発明の実施の形態にかかる建具を室内側から見た正面図である。
【発明を実施するための形態】
【０００９】
以下に、添付図面を参照して本発明の実施の形態を説明する。図４に示すように、本発明の実施の形態に係る建具１は防火防音ドアであり、枠３と、戸５とを備えている。
図１及び図３に示すように、戸５は、フラッシュ扉であり、室外側に設けた表パネル７と、室内側に設けた裏パネル９と、これらのパネル７、９間の四周に設けたアルミニウム製の戸先力骨１１、戸尻力骨１３、上力骨１５、下力骨１７とを備えている。
これらの力骨１１、１３、１５、１７の内周側には吸音断熱材１９が配置されている。
表パネル７と裏パネル９とは各々金属板である。
図１及び図２に示すように、戸先力骨１１は四角筒形状のホロー材であり、戸先力骨１１の室内側見付け面（タイト材側見付け面）１１ａには、戸先力骨１１の長手方向中間に、左右方向のスリット２１を上下に間隔をあけて複数設けてある。尚、図１において、戸先力骨１１のスリット２１はハッチで示している。
図４に示すように、スリット２１は、戸５に設けた取手２３とグレモン絞り２５の間に一つと、ドアガード２７の上に間隔をあけて２つと、取手２３の位置に一つと、取手２３の下に間隔をあけて２つの合計６個形成されている。
図１及び図２に示すように、各スリット２１は、戸先力骨１１の室内側見付け面１１ａとその左右にある見込み面１１ｂ、１１ｃの見込み方向中央に亘って形成されている。図２に示すように、各スリット２１の溝幅Ｗは、３ｍｍであり、室内側見付け面１１ａの左右方向に亘るカッターを見込み面１１ｂ、１１ｃの見込み方向中央位置まで入れて形成してある。
【００１０】
図４及び図１に示すように、戸先力骨１１のホロー内には、下部にスチール製の下部補強材２９ａが、上部にはスチール製の上部補強材２９ｂが設けてある。
図１及び図２に示すように、各補強材２９ａ、２９ｂは四角筒形状であり、図２及び図４に示すように、下部補強２９ａは最下位置にあるスリット２１を跨いで配置してあり、上部補強材２９ｂは、最上位置のスリット２１とその下にあるスリット２１の２つのスリット２１を跨いで配置してある。
図１に示すように、戸先力骨１１の内周側には、戸先力骨１１に隣接して縦補強材３１が取り付けてある。縦補強材３１は、戸先力骨１１の長手方向に亘って設けてあり、各々断面コ字形状を成す溝状の一方の補強部３１ａと他方の補強部３１ｂとを、互いに溝壁３３を重ねて固定し、一方の補強部３１ａは溝底３５を外周側に他方の補強部３１ｂは溝底３５を内周側に向けてある。
【００１１】
図３に示すように、上力骨１５及び下力骨１７は中空部を有するホロー材であり、中空内に各々スチール製の溝状補強材６９が設けてある。
更に、戸５の上端の見込み面及び下端の見込み面に、各々スチール製のエッジ補強材７１が対応する上端又は下端の長手方向に亘って設けてある。
上力骨１５のホロー内部の補強材６９及びエッジ補強材７１はねじ７３で固定してあり、下力骨１７のホロー内部の補強材６９及びエッジ補強材７１がねじ７３で固定してある。
尚、図１及び図４に示すように、戸尻力骨１３は、上下方向の３箇所で後述する戸尻枠４１にヒンジ３７で取り付けてある。
【００１２】
図１及び図３に示すように、枠３は、戸先枠３９と、戸尻枠４１と、上枠４３と、下枠４５とを四周組みしてある。
戸先枠３９の室内側には、戸５の戸先側見付け面５ａに対向する戸先側見付け面部４７が枠３の内周側に突設してある。また、戸尻枠４１にはその室内側に、戸５の戸尻側見付け面に対向する戸尻側見付け面部４９が、上枠４３には戸５の上側見付け面に対向する上側見付け面部５１、下枠４５には下側見付け面に対向する下側見付け面部５３が設けてある。
戸先側見付け面部４７には、戸先側タイト材５５が戸先枠３９の長手方向に亘って取り付けてあり、同様に戸尻側見付け面部４９には戸尻側タイト材５７が、上側見付け面部５１には上側タイト材５９が、下側見付け面部５３には下側タイト材６１が、各々対応する各枠の長手に亘って設けてある。各タイト材５５、５７、５９、６１は各々難燃シリコン製である。
【００１３】
ここで、熱膨張耐火材について説明する。
図１に示すように、戸先枠３９には、その内周側見込み面において、戸先側タイト材５５に近接する位置に第１熱膨張耐火材３２ａが戸先枠３９の長手方向に亘って設けてあり、火災の熱により発泡して、対向する戸５の戸先との間を塞ぐ。
戸尻枠４１には、その内周側見込み面において、戸尻側タイト材５７に近接する位置に第２熱膨張耐火材３２ｂが戸尻枠４１の長手方向に亘って設けてあり、火災の熱により発泡して、対向する戸５の戸尻との間を塞ぐ。
図３に示すように、上枠４３の上枠側見付け面部５１には上側タイト材５９の上側に第３熱膨張耐火材３２ｃが設けてあり、下枠４５の下枠側見付け面部５３には下側タイト材６１の下側に第４熱膨張耐火材３２ｄが、各々対応する枠の長手方向に亘って設けてあり、火災の熱により発泡して、対向する戸５の上端及び下端との間を塞ぐ。
更に、上枠４３の室外側壁６３にも上枠４３の長手方向に亘って、第５熱膨張耐火材３２ｅが設けてあり、火災の熱により発泡して、上枠４３の室外側で上枠４３と戸５の上端部との間を塞ぐ。
尚、下枠４５のホロー内には、下枠４５の左右側端部に、火災の熱により発泡して対向する水抜き孔を塞ぐ第６熱膨張耐火材３２ｆが設けてある。
図１に示すように、戸５には、戸先側見込み面６５の室外側には、戸先枠３９に対向する第７熱膨張耐火材３２ｇが設けてあり、火災の熱により発泡して戸先枠３９の室外側との間を塞ぐ。
戸５の戸尻側見込み面６７にも、戸尻枠４１に対向する第８熱膨張耐火材３２ｈが設けてあり、火災の熱により発泡して戸尻枠４１との間を塞ぐ。
【００１４】
次に、本実施の形態にかかる建具１の作用効果について説明する。
図１及び図４を参照して説明すると、室内側で火災が生じると、室外側見付け面と室内側見付け面とで室内側見付け面が高温となる温度差が生じ、室内側見付け面の熱伸びが室外側見付け面より大きくなるので、戸先力骨１１は、上下方向の中間を室内側に突き出すように湾曲して、戸先力骨１１の上端部と下端部とが戸先側タイト材５５から離れる方向に反ろうとする。
しかし、本実施の形態では、戸先力骨１１には戸先側タイト材５５側の見付け面に左右方向のスリット２１が上下に複数形成してあるので、戸先力骨１１の戸先側タイト５５側に熱伸びが生じたときに、戸先側タイト材５５側見付け面の熱伸びをスリット２１が吸収して、戸先側タイト材５５が離れる方向の熱反りを抑制する。これにより、戸５と枠３との間に隙間が生じるのを防止する。
【００１５】
更に、戸先枠３９には、戸先側タイト材５５の近傍に第１熱膨張耐火材３２ａが設けてあり、戸３の戸先側の上部や下部が戸先側タイト材５５から離れた場合でも、第１熱膨張耐火材３２ａが発泡して戸先枠３９と戸５の戸先側との間を塞ぎ、戸５の戸先側と戸先枠３９との間に隙間が生じるのを防止する。
戸先力骨１１はホロー材としてあり、戸先力骨１１の上部と下部で、ホロー内には、スリット１１を跨ぐ位置に、それぞれ下部補強材２９ａ、上部補強材２９ｂを設けてあるので、戸先力骨１１にスリット２１を形成しても、戸５の耐風圧強度等の所定の強度を確保できる。
戸先力骨１１には、これに隣接して、アルミニウム製の戸先力骨１１よりも熱反りし難いスチール製の縦補強材３１が設けてあるので、戸先力骨１１の熱反りを更に抑制できる。
尚、戸尻力骨１３は、ヒンジ３７により上下方向３箇所で固定してあるので、戸３の室内側から熱を受けても熱伸びによる反りが生じ難い。
戸先力骨１１のスリット２１は、室内側見付け面１１ａと、その左右の見込み面１１ｂ、１１ｃの中間位置まで形成してあるから、室内側見付け面１１ａのみに形成する場合に比較して戸先力骨１１の熱伸びによる反りを有効に抑制することができる。
【００１６】
本発明は、上述した実施の形態に限らず、本発明の要旨を逸脱しない範囲で種々変形可能である。
例えば、戸先力骨１１の設けるスリット２１の数は６個に限らず、２個でも３個でも１０個でも良く、数は制限されない。また、スリット２１の幅Ｗは、２ｍｍや５ｍｍでも良く、制限されない。
スリット２１は、戸先力骨１１の室内側見付け面１１ｃから見込み面１１ｂ、１１ｃに亘って設けることに限らず、室内側見付け面１１ｃのみに設けても良い。
建具１はフラッシュ扉を有するドアに限らず、框扉のドアや引戸であっても良い。この場合に、スリット２１は戸先力骨１１に換えて戸先竪框に設け、戸先竪框を化粧材で隠すことが好ましい。また、建具１が引戸の場合には、戸先竪框に加えて、戸尻側竪框にもスリット２１を設けることが好ましい。
戸先力骨１１は四角筒形状に限らず、断面コ字形状であって良く、中空を有するものに限らない。
【符号の説明】
【００１７】
１    建具
３    枠
５    戸
５ａ  戸先見付け面
７    表パネル
９    裏パネル
１１  戸先力骨
１１ａ  室内側見付け面（タイト材側見付け面）
２１  スリット
４７  戸先側見付け面部
５５  戸先側タイト材（タイト材）
【図１】
2015094208.tif 000003
【図２】
2015094208.tif 000004
【図３】
2015094208.tif 000005
【図４】
2015094208.tif 000006